(57)【要約】  伝送線に接続されるバルクヘッドコネクタは、バルクヘッドの開口に取り付けられている後部から成る。該後部は、バルクヘッドの第１の側において第１のねじ山と第２のねじ山とを備えている第１端部と、バルクヘッドの開口を通って第１の側とは反対側のバルクヘッドの第２の側まで延びている第２端部と、を備えている。フロントコネクタ本体及びフロントシェルアセンブリは、絶縁スリーブがフロントコネクタ本体とフロントシェルアセンブリとの間に配置された状態で、後部に螺着される。フロントシェルアセンブリは、後部に取り付けられるためにねじ山を備えているフロントシェルと、絶縁体内に取り付けられている中心導体と、を備えている。絶縁体は、フロントシェルの中心開口内に取り付けられており、中心導体をフロントシェルから電気的に絶縁させる。後部の第２端部は、ねじ山を備えており、バルクヘッドの開口内に収容される。
2007502518.tif 000002
【特許請求の範囲】
【請求項１】
伝送線に接続されるバルクヘッドコネクタであって、
バルクヘッドの開口に取り付け可能な後部と、
フロントコネクタ本体と、
フロントシェルアセンブリと、
絶縁部材と、から成り、
前記後部は、前記バルクヘッドの第１の側に第１及び第２のねじ山を備える第１の端部と、前記開口を通って前記バルクヘッドの反対側の第２の側に延びる第２の端部と、を有しており、
前記フロントコネクタ本体は、前記後部の前記第１ねじ山に螺合する第１のねじ山を備えており、
前記フロントシェルアセンブリは、前記後部の前記第２ねじ山に螺合する第２のねじ山を備えており、
前記絶縁部材は、前記フロントコネクタ本体内に嵌合されて前記フロントコネクタ本体を前記フロントシェルアセンブリから電気的に絶縁するようなされており、
前記フロントシェルアセンブリは、前記後部に取り付けるためのねじ山を備えるフロントシェルと、絶縁体の中心軸開口内に取り付けられた中心導体と、を含んでおり、
前記フロントシェル絶縁体は、前記フロントシェルの中心開口内に取り付けられて前記中心導体を前記フロントシェルから電気的に絶縁しており、
前記後部の前記第２端部は、前記バルクヘット゛開口内に収容されるねじ山を有していることを特徴とするバルクヘッドコネクタ。
【請求項２】
前記第２端部は、前記バルクヘッドの前記第２の側において電気リード線に電気的に接続される手段を備えており、前記手段は、前記後部の後面を超えて延びている請求項１に記載のバルクヘッドコネクタ。
【請求項３】
電気リード線に電気的に接続される前記手段は、前記中心導体と前記フロントシェルとに電気的に接続されているワイヤ取り付けスタッドを備えている請求項２に記載のバルクヘッドコネクタ。
【請求項４】
前記ワイヤ取り付けスタッドは前記後部の最後部となっている延出部を画成している請求項３に記載のバルクヘッドコネクタ。
【請求項５】
前記後部の前記第２端部は、前記ねじ山に隣接している一対の平坦部を両側に備えている請求項１に記載のバルクヘッドコネクタ。
【請求項６】
前記後部の前記第２端部は、前記ねじ山に隣接し前記バルクヘッドの前記第１の側に当たって止まる突出面を備えている請求項１に記載のバルクヘッドコネクタ。
【請求項７】
前記バルクヘッドの前記開口は、前記後部の前記第２端部の前記ねじ山と螺合するようにねじ切りされている請求項１に記載のバルクヘッドコネクタ。
【請求項８】
伝送線に接続されるバルクヘッドコネクタシステムであって、
コネクタと、
開口を備えているバルクヘッドと、
から成り、
前記コネクタは、
第１のねじ山と第２のねじ山とを備えている第１端部と、取り付けねじ山を備えている第２端部と、を備えている後部と、
前記後部の前記第１のねじ山に螺着される第１の結合ねじ山を備えているフロントコネクタ本体と、
前記後部の前記第２のねじ山に螺着される第２の結合ねじ山を備えているフロントシェルアセンブリと、
前記フロントコネクタ本体内に嵌められ前記フロントコネクタ本体を前記フロントシェルアセンブリから電気的に絶縁させる絶縁部材と、
を備えており、
前記フロントシェルアセンブリは、前記後部に取り付けられるためにねじ山を備えているフロントシェルと、絶縁体の中心軸開口内に取り付けられている中心導体と、を備えており、
前記フロントシェルアセンブリの前記絶縁体は、前記フロントシェルの中心開口内に取り付けられ、前記中心導体を前記フロントシェルから電気的に絶縁させており、
前記コネクタの前記後部は、前記後部の前記第１端部が前記バルクヘッドの第１の側に位置し、前記後部の前記第２端部が前記第１の側とは反対側の前記バルクヘッドの第２の側に位置する状態で、前記バルクヘッドの前記開口に取り付けられているバルクヘッドコネクタシステム。
【請求項９】
前記後部の前記第２端部は、前記ねじ山に隣接し前記バルクヘッドの前記第１の側に当たって止まる突出面を備えている請求項８に記載のバルクヘッドコネクタシステム。
【請求項１０】
前記バルクヘッドの前記開口は、前記後部の前記第２端部の前記ねじ山と螺合するようにねじ切りされている請求項９に記載のバルクヘッドコネクタシステム。
【請求項１１】
トライアキシャルバルクヘッドコネクタの後部であって、
中心開口と、後表面と、前記後表面に隣接する取り付けねじ山と、フロントコネクタ本体を受け止める第１のねじ山と、を備えている外側シェルと、
前記外側シェルの前記中心開口内に配置されている絶縁体と、
前記第１のねじ山に隣接している第２のねじ山を備えており前記絶縁体の中心開口内に配置されている内側シェルと、
から成り、
前記絶縁体は、前記外側シェルの前記後表面と協力して後面を画成する後端を有しており、
前記第２のねじ山はフロントシェルアセンブリを受け止め、前記内側シェルは、前記第２のねじ山とは反対側にワイヤ取り付けスタッドを備えており、前記ワイヤ取り付けスタッドは前記後面を超えて延びており、
前記内側シェルは更に中心開口を備えており、前記中心開口内には、中心導体絶縁体によって前記内側シェルから電気的に絶縁されている中心導体軸が取り付けられており、
前記中心導体軸は、前記フロントシェルアセンブリの中心導体と係合するコンタクトを備えている第１端部と、前記後面を超えて延びている取り付けスタッドを備えている第２端部と、を備えているトライアキシャルバルクヘッドコネクタの後部。
【請求項１２】
前記内側シェルの前記ワイヤ取り付けスタッドは、前記内側シェルの後方延出部の周りに取り付けられているリングの一部である請求項１１に記載のトライアキシャルバルクヘッドコネクタの後部。
【請求項１３】
前記内側シェルの前記後方延出部は前記後面を超えて延びている請求項１２に記載のトライアキシャルバルクヘッドコネクタの後部。
【請求項１４】
前記内側シェルの前記ワイヤ取り付けスタッドは、前記内側シェルの最後部である延出部を画成している請求項１１に記載のトライアキシャルバルクヘッドコネクタの後部。
【請求項１５】
前記外側シェルは、前記後面の反対側において、前記取り付けねじ山に隣接する突出面を備えている請求項１１に記載のトライアキシャルバルクヘッドコネクタの後部。
【発明の詳細な説明】
【技術分野】
【０００１】
本発明は、バルクヘッドコネクタ（ｂｕｌｋｈｅａｄ  ｃｏｎｎｅｃｔｏｒ）、詳しくは、トライアキシャルケーブル（ｔｒｉａｘｉａｌ  ｃａｂｌｅ）に接続されるバルクヘッドコネクタに関する。
【背景技術】
【０００２】
導電性トライアキシャル伝送ケーブルに使用されるコネクタは、該ケーブル内において同軸に配置されている導体だけでなく該ケーブルの中心導体に対しても電気的な接続性を有している。トライアキシャルケーブルの中心導体はコネクタの中心導体に物理的及び電気的に接続されており、コネクタは、カメラ或いはその他の娯楽放送設備にみられるように、結合バルクヘッドコネクタとともに使用され得る。エーデーシー・テレコミニケーションズ（ＡＤＣ  Ｔｅｌｅｃｏｍｍｕｎｉｃａｔｉｏｎｓ）社に付与された特許が開示されている特許文献１、特許文献２及び特許文献３は、直線状に使用されるトライアキシャルケーブルコネクタに関するものである。この種のコネクタの取り付けパネルもまた、特許文献４及び特許文献５に示されるように、周知となっている。この分野が絶え間なく発展することが望まれている。
【０００３】
【特許文献１】米国特許第５９６７８５２号
【特許文献２】米国特許第６１０９９６３号
【特許文献３】米国特許第６５７５７８６号
【特許文献４】米国特許第６１４６１９２号
【特許文献５】米国特許第６２３１３８０号
【発明の開示】
【課題を解決するための手段】
【０００４】
伝送線に接続されるバルクヘッドコネクタは、バルクヘッドの開口に取り付けられている後部から成る。該後部は、バルクヘッドの第１の側において第１のねじ山と第２のねじ山とを備えている第１端部と、バルクヘッドの開口を通って第１の側とは反対側のバルクヘッドの第２の側まで延びている第２端部と、を備えている。フロントコネクタ本体及びフロントシェルアセンブリは、絶縁スリーブがフロントコネクタ本体とフロントシェルアセンブリとの間に配置された状態で、後部に螺着される。フロントシェルアセンブリは、後部に取り付けられるためにねじ山を備えているフロントシェルと、絶縁体内に取り付けられている中心導体と、を備えている。絶縁体は、フロントシェルの中心開口内に取り付けられており、中心導体をフロントシェルから電気的に絶縁させる。後部の第２端部は、ねじ山を備えており、バルクヘッドの開口内に収容され得る。
【発明を実施するための最良の形態】
【０００５】
添付の図面に示された本発明の実施例を以下で詳細に説明する。同じ部品或いは類似の部品に対しては、可能な限りいかなる場合でも、同じ符号が付されている。
【０００６】
２つのトライアキシャルケーブルを接続するコネクタは周知となっており、上記の特許文献１〜３に詳細に記載されている。これらの特許文献１〜３の開示内容を本書に含めることとする。ケーブルコネクタ用のバルクヘッド、取り付けプレート、ヨーク、及びアダプタは、各種存在しており、これらは上記特許文献３〜５に開示されており、これらの特許文献３〜５の開示内容を本書に含めることとする。しかし、上記特許文献に記載された従来のシステムでは、コネクタが取り付けられるケーブルのピグテールをカメラ等の設備が備えることなく該設備とコネクタとを直接接続することはできなかった。このような構成では不都合な場合も多く、また、図１に示されたコネクタ１０のようなバルクヘッドに取り付けられたコネクタよりも損傷を被りやすい。
【０００７】
コネクタ１０は、バルクヘッド１２に取り付けられるようになっている。好適な実施例において、コネクタ１０は、バルクヘッド１２の開口１３（図１３に図示）内に嵌められる。バルクヘッド１２は、図１Ａに示されるようなカメラ２のケースであったり、その他の放送設備の場合もある。コネクタ１０は、ヨーク或いはアダプタが無い状態で、バルクヘッド１２に直接取り付けられる点で、上記の特許文献に記載されたトライアキシャルコネクタと異なる。また、コネクタ１０は、ジャケットに覆われたトライアキシャルケーブルを終端するようにはなっていない。以下で詳細に示すが、コネクタ１０は、（カメラ或いはその他の設備の外側である）バルクヘッド１２の第１の側６０においてトライアキシャルコネクタと結合するようになっている一方で、（カメラ２或いはその他の設備の内側である）バルクヘッド１２の第１の側６０とは反対の第２の側６２において１或いはそれ以上の電気リード線４或いはその他の導体と接続するようになっている。
【０００８】
上記特許文献に開示されている従来のシステムにおいては、ジャケットに覆われたケーブルを終端するコネクタが他の型及び種類のケーブル或いは放送設備と結合するように変形できるようにするキットが提供されていた。この場合、ケーブルのコネクタは上記特許文献に記載されている種類のコネクタであることが必要であった。しかし、このような変形可能なコネクタでケーブルが終端されていない場合、バルクヘッドに取り付けられたアダプタを備えたカメラに接続するために種類或いは型を変更することは、コネクタを切り離してケーブルを再び終端することでもしない限り、不可能であった。ケーブルに取り付けられている非変形型及び非変形種のコネクタと結合するためにバルクヘッドに取り付けられたコネクタを変形することがコネクタ１０によって実現可能となる。これによって、スポーツ施設或いはその他の放送施設でよく見かけるような、既存のケーブルの基盤を備えている設備及びカメラの使用においての柔軟性が向上する。
【０００９】
図２及び図３を参照すると、コネクタ１０は、ケーブルに取り付けられた雌即ちジャックトライアキシャルコネクタと結合する雄コネクタ即ちプラグコネクタである。コネクタ１０は、バルクヘッド１２に取り付けられているコネクタ本体１４即ち後部１４と、第２のねじ山２２にて後部１４に螺着されているフロントシェルアセンブリ２０と、を備えている。フロントコネクタ本体１６は、第１のねじ山２４にて後部１４に螺着されており、且つ、フロントシェルアセンブリ２０の周りに配置されている。フロントコネクタ本体１６とフロントシェルアセンブリ２０との間には、両者を互いに物理的及び電気的に絶縁させる絶縁部材１８が取り付けられている。フロントコネクタ本体１６は第１端部２６を画成している。また、フロントコネクタ本体１６は複数の取り外し可能なロック部材を備えている。該ロック部材は、フロントコネクタ本体１６の周囲に配置されている。ロック部材２８は、結合するコネクタに確実に且つ取り外し可能に接続することができる。
【００１０】
フロントコネクタ本体１６と絶縁部材１８とフロントシェルアセンブリ２０とによって、異なる各種の型或いは種類のトライアキシャルコネクタに後部１４を結合させるためのキット３０が構成される。このキットに対する本発明の実施例が４つあり、それぞれ対応する添付の図面に示されている。コネクタには２つの型即ち形態があり、その各型のコネクタには更に２つの種類があり、これらも添付の図面に示されている。本発明は、これらの４つの実施例に限定されることはなく、他の型及び種類に対しても使用できるようになっている。異なるキット３０が上記の特許文献１〜３に詳細に記載されている。
【００１１】
図４及び図５を参照すると、コネクタ１０は、フロントシェルアセンブリ２０の中心導体ピン３６に電気的に接続されている中心コンタクト取り付けスタッド３４を備えている。第１端部２６がトライアキシャルケーブルコネクタと結合するとき、中心導体ピン３６はケーブルの中心導体と電気的に接続される。取り付けスタッド３４は、バルクヘッド１２によって一部が構成されている放送設備内のリード線と接続するようになっている。コネクタ１０は、また、フロントシェル４０に電気的に接続されている第１同軸導体取り付けスタッド３２を備えている。第１端部２６がトライアキシャルケーブルコネクタと結合するとき、フロントシェル４０はケーブルの第１の同軸導体と電気的に接続される。取り付けスタッド３２は、バルクヘッド１２によって一部が構成されている放送設備内の単体のリード線或いは複数のリード線と接続するようになっている。
【００１２】
フロントシェルアセンブリ２０は、フロントシェル４０と、中心導体ピン３６と、該シェル４０と該ピン３６との間に配置されており両者を電気的及び物理的に絶縁させている絶縁体３８と、を備えている。ピン３６は絶縁体３８の中心軸開口内に取り付けられており、絶縁体３８はフロントシェル４０の中心軸開口内に保持されている。フロントシェル４０は、第２のねじ山２２と螺合してフロントシェルアセンブリを後部１４に取り付ける。フロントシェル４０は、（図３に示される）複数のフィンガ４１を備えている。中心導体ピン３６は中心導体ジャックと交換可能であり、また、フロントシェル４０は、フィンガの無いソリッドな前端部を画成しているフロントシェルと交換可能である。
【００１３】
図６及び図８を参照すると、バルクヘッドコネクタ１１０が示されている。コネクタ１１０はコネクタ１０と同じ型に適合して形成されているが、雌コネクタ即ちジャックコネクタである。両コネクタ１１０、１０に対して同じ後部１４が提供されている。事実、本発明に係わるバルクヘッドトライアキシャルコネクタの全ての型及び種類に対して提供されている後部はこの後部１４である。キット１３０は、フロントシェル１４０と中心導体ジャック１３６とを備えたフロントシェルアセンブリ１２０を備えている。中心導体ジャック１３６は絶縁体３８の中心軸開口内に保持されており、絶縁体３８はフロントシェル１４０の中心軸開口内に保持されている。フロントシェル１４０はソリッドな前端部１４１を画成している。
【００１４】
キット１３０は、また、フロントコネクタ本体１１６と、フロントシェルアセンブリ１２０とフロントコネクタ本体１１６との間に配置されている絶縁部材１１８と、を備えている。フロントシェルアセンブリ１２０は第２のねじ山２２と螺合する。フロントコネクタ本体１１６は第１のねじ山２４と螺合する。中心コンタクト取り付けスタッド３４は、中心導体ジャック１３６に電気的に接続される。第１同軸取り付けスタッド３２はフロントシェル１４０に電気的に接続される。フロントコネクタ本体１１６は、結合するトライアキシャルケーブルコネクタを収容する第１端部１２６を画成している。
【００１５】
図９〜図１２は、後部に対する本発明の第２実施例、即ち、後部１１４を示している。後部１１４は外側シェル４８と内側シェル５０とを備えている。外側シェル４８は、バルクヘッド１２の（図１３に示された）開口１３への後部１１４の取り付けを容易にするためのバルクヘッド取り付けねじ山４２を備えている。開口１３は、ねじ山４２と螺合するようにねじ切りされていてもよい。又は、インサート部材を開口１３内に備えてねじ山４２を収容するようにしてもよい。若しくは、ねじ山４２にロックナットを螺合させて後部１１４をバルクヘッド１２に固定してもよい。外側シェル４８は、また、フロントコネクタ本体１６又は１１６等のフロントコネクタ本体と螺合する第１のねじ山２４を備えている。
【００１６】
外側シェル４８は中心開口４９を備えており、該中心開口４９内には絶縁体５２が取り付けられている。絶縁体５２は中心開口５３を備えており、該中心開口５３内には内側シェル５０が取り付けられており、もって、内側シェルと外側シェルとは電気的及び物理的に絶縁される。内側シェル５０は、フロントシェルアセンブリ２０と螺合する第２のねじ山２２を備えている。内側シェル５０は、また、中心開口５１を画成しており、該中心開口５１内には中心導体絶縁体４４が取り付けられている。中心導体絶縁体４４は中心開口４５を備えており、該中心開口４５内には中心導体軸５４が取り付けられている。中心導体軸５４は、中心導体取り付けスタッド３４を第１端部に備え、中心導体コンタクト５６を第２端部に備えている。フロントシェルアセンブリ２０又は１２０が第２のねじ山２２に螺合されるとき、中心導体コンタクト５６は中心導体ピン３６又は中心導体ジャック１３６と係合して、取り付けスタッド３４に該ピン或いは該ジャックを電気的に接続させる。
【００１７】
第１同軸導体取り付けスタッド３２は、内側ハウジング５０に電気的に接続され且つ該内側ハウジング５０の周りに配置されているリング４６に取り付けられている。内側ハウジング５０及び外側ハウジング４８は導電性素材で形成されている。フロントシェルアセンブリ２０又は１２０が第２のねじ山２２と螺合するとき、外側シェル４０又は１４０は、内側ハウジング５０によって、第１同軸コネクタ取り付けスタッド３２に電気的に接続される。
【００１８】
外側シェル４８はねじ山４２と隣接する後表面８２を有している。該後表面８２は平らな後面を画成する。絶縁体５２は後端７６を備えている。該後端７６は、開口４９内に挿入されると、外側シェル４８の後表面８２と実質的に面一となり、後部１１４の後面を画成する。取り付けスタッド３２、３４は、後表面８２及び後端７６を超えて延びており、もって、該スタッド３２、３４は、カメラ２の内側において図１Ａに示されるリード線４等の電気リード線への取り付けの際にアクセス可能となる。取り付けスタッド３２、３４はケース内に配置されていてもよく、ケース内に配置されることによって、周囲の最も危険なものや衝撃から保護され、その場合、新たにシールド或いはハウジングでカバーする必要がなくなる。スタッド３２、３４はリード線に直接接続されるようになっているので、ジャケットで覆われたトライアキシャルケーブル内の導体に圧着するために後部１４、１１４、２１４内に装備が施されていることはない。
【００１９】
内側ハウジング５０は、また、後方延出部８０を備えている。該後方延出部８０は、スタッド３２とスタッド３４との間にあり、後表面８２及び後端７６を超えて延びている。外側シェル４８の両側に沿って、１対の平坦部７８が形成されている。後部１１４をバルクヘッドに取り付けるとき、平坦部７８が形成されていることによって後部１１４が把持し易くなる。ねじ山４２と螺合するようにバルクヘッドの開口がねじ切りされている場合、取り付ける者の指或いはレンチの使用によって平坦部７８が把持されて取り付け作業を支援するようにしてもよい。平坦部７８は、また、後部１１４内に含まれている各種部品を組み立てる際に使用者が外側シェル４８を把持する作業を向上させる。
【００２０】
図１３は、後部に対する本発明の第３実施例、即ち、後部２１４を示している。後部ハウジング２１４の部品の多くは上記後部ハウジング１１４と共通である。内側シェル１５０は、ハウジングと一体となっている第１同軸スタッド３２を備えている。スタッド３２は、内側シェル１５０の最後部である延出部を画成している。中心導体コンタクト１５４は、一対の絶縁半体１４４の間に取り付けられており、また、内側ハウジング１５０の開口５１内に配置されている。他の点においては、後部２１４、１１４は、同じ方法でキット３０と係合し、また、同じ方法でバルクヘッド１２に収容される。
【００２１】
後部２１４は、また、外側シェル４８の後表面８２と絶縁体５２の後端７６とによって画成される後面を備えている。内側シェル１５０は、この後面を超えて延びる後方延出部８０を備えていない。内側シェル１５２の最後部は取り付けスタッド３２である。取り付けスタッド３４に沿っているこれらのスタッド３２は、後部２１４の後面を超えて延びている。
【００２２】
図１４〜図１６を参照すると、トライアキシャルバルクヘッドコネクタ（ｔｒｉａｘｉａｌ  ｂｕｌｋｈｅａｄ  ｃｏｎｎｅｃｔｏｒ）に対する本発明の第３実施例、即ち、トライアキシャルバルクヘッドコネクタ２１０は、後部１４と、キット２３０と、を備えている。該キット２３０は、フロントシェルアセンブリ２２０と、絶縁部材２１８と、フロントコネクタ本体２１６と、を備えている。フロントコネクタ本体２１６は、結合するトライアキシャルケーブルコネクタを収容する第１端部２２６を画成している。フロントシェルアセンブリ２２０は、ソリッドな前端部１４１を画成しているフロントシェル１４０内の（図示せぬ）絶縁体３８内に中心導体ピン３６を備えている。コネクタ２１０は、コネクタ１０、１１０の型及び種類とは異なる型及び種類に適合して形成されている。
【００２３】
図１７〜図１９を参照すると、トライアキシャルバルクヘッドコネクタに対する本発明の第４実施例、即ち、トライアキシャルバルクヘッドコネクタ３１０は、後部１４と、キット３３０と、を備えている。該キット３３０は、フロントシェルアセンブリ３２０と、絶縁部材３１８と、フロントコネクタ本体３１６と、を備えている。フロントコネクタ本体３１６は、結合するトライアキシャルケーブルコネクタを収容する第１端部３２６を画成している。フロントシェルアセンブリ３２０は、複数のフィンガ４１を画成しているフロントシェル４０内の（図示せぬ）絶縁体３８内に中心導体ジャック１３６を備えている。コネクタ３１０は、コネクタ２１０と同じ型及び種類に適合して形成されている。
【００２４】
図２０及び図２１並びに図４も参照すると、後部１４の詳細が示されている。後部１４は、バルクヘッド１２の開口１３内に該後部１４を取り付けるためのねじ山４２を備えている外側シェル１４８を備えている。該外側シェル１４８は、また、バルクヘッド１２の第１の側６０に当たって止まる一体型のフランジ５８を備えている。開口１３がねじ山４２に対応するねじ山を備えている場合、後部１４は、フランジ５８が第１の側６０に当たって止まるまで、開口１３に螺入することができる。若しくは、開口１３がねじ切りされていない場合、後部１４のねじ山４２は、フランジ５８が第１の側６０に当たって止まるまで、開口１３に挿通することができる。そして、ねじ切りされたナット、ロックリング或いはその他類似のねじ切りされた締め付け具がねじ山４２に螺合して第２の面６２に当たる。外側シェル１４８は、また、後部１１４、２１４に対して上述したように、両側に平坦部７８を備え、また、後表面８２を備えている。
【００２５】
フロントシェルアセンブリ２２０が図２２〜図２４に詳細に示されている。フロントシェルアセンブリ２２０は、中心導体ピン３６を備えたフロントシェル１４０を備えている。上述の各種実施例で示されるように、フロントシェル４０、１４０は、中心導体ピン３６或いは中心導体ジャック１３６と組み合わせて所望の型或いは種類に適合することができる。その他の型及び種類に決められている場合は、フロントシェルアセンブリ２０、１２０、２２０、３２０を本発明の範囲内で必要に応じて適応させることができる。絶縁体３８は中心開口３９を備えており、該中心開口３９内には中心導体ピン３６が収容されている。フロントシェル１４０は中心開口６４を備えており、該中心開口６４内には絶縁体３８が収容されている。中心開口６４は、絶縁体３８のショルダ６７を保持する部分６６と、後部１４或いは１１４の第２のねじ山２２と螺合するねじ山部６８と、を備えている。フロントシェルアセンブリが後部１４に取り付けられるとき、後部の中心導体コンタクト５６と中心導体ピン３６とが物理的及び電気的に接続することを可能にする後部開口７０が絶縁体３８の中心開口３９内に設けられている。
【００２６】
中心導体ピン３６は、フロントシェル１４０内の絶縁体３８の第１端部７４から前端部１４１に接近するように延びている。第１端部７４とは反対側にある絶縁体３８の第２端部７２は、開口７０を備えており、フロントシェル１４０の中心開口６４の外側まで延びている。本発明のトライアキシャルバルクヘッドコネクタに対する上述の各実施例において、絶縁体３８はフロントシェル４０或いは１４０のいずれかの中心開口６４内で使用されている。絶縁体３８は、また、中心導体ピン３６又はジャック１３６を中心開口３９内且つフィンガ４１及び前端１４１の付近で保持し、ピン３６、ジャック１３６の開口７０に対する位置は両者とも同じである。
【００２７】
上述の実施例を記載した本願明細書及びデータにより、本発明の使用及び製造についての説明を余すところなく行った。本発明の趣旨を逸脱しない限り、本発明の数多くの実施例が可能であることから、本発明は添付の特許請求の範囲に記載することとする。
【００２８】
明細書とともに本願を構成し本発明の概念を幾つか示す添付の図面は本発明の原理を説明する役割を担っており、その図面の簡単な説明を以下で行うこととする。
【図面の簡単な説明】
【００２９】
【図１】本発明に係わるバルクヘッドに取り付けられているトライアキシャルバルクヘッドコネクタの斜視図。
【図１Ａ】カメラの側面図であって、該カメラには図１のトライアキシャルコネクタが取り付けられており、カメラ内の該コネクタには点線で示されたリード線が接続されている状態を示している図。
【図２】バルクヘッドから取り外された状態の図１のバルクヘッドコネクタの斜視図。
【図３】図２のバルクヘッドコネクタの一部分解斜視図。
【図４】図２のバルクヘッドコネクタの側面図。
【図５】図４のバルクヘッドコネクタの図４の１−１線断面図。
【図６】本発明の第２実施例におけるバルクヘッドコネクタの斜視図。
【図７】図６のバルクヘッドコネクタの一部分解斜視図。
【図８】図６のバルクヘッドコネクタの側面図。
【図９】本発明に係わるトライアキシャルバルクヘッドコネクタの後部の前方斜視図。
【図１０】図９のバルクヘッドコネクタの後部の後方斜視図。
【図１１】図９のバルクヘッドコネクタの後部の前方分解斜視図。
【図１２】本発明の第２実施例におけるトライアキシャルバルクヘッドコネクタの後部がバルクヘッドの開口に取り付けられている状態を示す図。
【図１３】図１２のトライアキシャルコネクタの後部の前方分解斜視図。
【図１４】本発明の第３実施例におけるトライアキシャルバルクヘッドコネクタの前方斜視図。
【図１５】図１４のバルクヘッドコネクタの一部分解前方斜視図。
【図１６】図１４のバルクヘッドコネクタの側面図。
【図１７】本発明の第４実施例におけるトライアキシャルバルクヘッドコネクタの図。
【図１８】図１７のバルクヘッドコネクタの一部分解前方斜視図。
【図１９】図１７のバルクヘッドコネクタの側面図。
【図２０】本発明の第３実施例におけるトライアキシャルバルクヘッドコネクタの後部の前方斜視図。
【図２１】図２０のトライアキシャルコネクタの後部の前方分解斜視図。
【図２２】本発明のフロントシェルアセンブリの前方分解斜視図。
【図２３】図２２のフロントシェルアセンブリの正面図。
【図２４】図２２のフロントシェルアセンブリの図２３の２−２線断面図。
【図１】
2007502518.tif 000003
【図１Ａ】
2007502518.tif 000004
【図２】
2007502518.tif 000005
【図３】
2007502518.tif 000006
【図４】
2007502518.tif 000007
【図５】
2007502518.tif 000008
【図６】
2007502518.tif 000009
【図７】
2007502518.tif 000010
【図８】
2007502518.tif 000011
【図９】
2007502518.tif 000012
【図１０】
2007502518.tif 000013
【図１１】
2007502518.tif 000014
【図１２】
2007502518.tif 000015
【図１３】
2007502518.tif 000016
【図１４】
2007502518.tif 000017
【図１５】
2007502518.tif 000018
【図１６】
2007502518.tif 000019
【図１７】
2007502518.tif 000020
【図１８】
2007502518.tif 000021
【図１９】
2007502518.tif 000022
【図２０】
2007502518.tif 000023
【図２１】
2007502518.tif 000024
【図２２】
2007502518.tif 000025
【図２３】
2007502518.tif 000026
【図２４】
2007502518.tif 000027
【国際調査報告】
2007502518.tif 000028
2007502518.tif 000029